(57)【要約】【課題】  セット性を向上させることができるトレイ送り装置を提供すること。【解決手段】  トレイ送り装置（３０）は、収納状態である第１位置と、取り出し状態である第２位置とを有し、媒体（Ｐ）をセット可能な媒体トレイ（３１）と、該媒体トレイ（３１）に設けられ、媒体（Ｐ）と係合して媒体（Ｐ）を保持する係合部（３５）と、を備え、前記媒体トレイ（３１）は、前記第１位置から前記第２位置へ移動する際、媒体（Ｐ）のセット面側に対して反対側へ回動変位する構成であることを特徴とする。【選択図】図３
2009234669.tif 000002
【特許請求の範囲】
【請求項１】
収納状態である第１位置と、取り出し状態である第２位置とを有し、媒体をセット可能な媒体トレイと、
該媒体トレイに設けられ、媒体と係合して媒体を保持する係合部と、を備え、
前記媒体トレイは、前記第１位置から前記第２位置へ移動する際、媒体のセット面側に対して反対側へ回動変位する構成であるトレイ送り装置。
【請求項２】
請求項１に記載のトレイ送り装置において、前記反対側は、鉛直方向下方であるトレイ送り装置。
【請求項３】
請求項１または２に記載のトレイ送り装置において、駆動源を正転させることによって前記媒体トレイを前記第１位置から前記第２位置へ移動させ、
前記駆動源を逆転させることによって前記媒体トレイを前記第２位置から前記第１位置へ移動させるトレイ移動手段を有し、
該トレイ移動手段は、前記媒体トレイを前記第２位置から前記第１位置へ移動させる際、少なくとも一度、前記駆動源を正転に切替えるトレイ送り装置。
【請求項４】
請求項１乃至３のいずれか１項に記載のトレイ送り装置において、前記媒体トレイは、
第１位置側である第１トレイ部と、
該第１トレイ部より第２位置側であって前記係合部を有する第２トレイ部と、
前記第１トレイ部と前記第２トレイ部とを連結するヒンジ部と、を備え、
前記第２位置へ移動する際、前記第２トレイ部が前記ヒンジ部を支点に回動変位するトレイ送り装置。
【請求項５】
請求項４に記載のトレイ送り装置において、前記ヒンジ部の位置は、前記媒体トレイの移動方向において、媒体がセットされる範囲に設けられているトレイ送り装置。
【請求項６】
被記録媒体を送る送り部と、
送られた被記録媒体に対して記録を実行する記録部と、を備えた記録装置であって、
前記送り部は、請求項１乃至５のいずれか１項に記載された前記トレイ送り装置を備える記録装置。
【発明の詳細な説明】
【技術分野】
【０００１】
本発明は、収納状態である第１位置と、取り出し状態である第２位置とを有し、媒体をセット可能な媒体トレイを備えたトレイ送り装置および該トレイ送り装置を備えた記録装置に関する。
【０００２】
本願において、記録装置には、インクジェットプリンタ、ワイヤドットプリンタ、レーザープリンタ、ラインプリンタ、複写機、ファクシミリ等の種類が含まれるものとする。
【背景技術】
【０００３】
従来は、特許文献１に示す如く、記録装置は、ディスク媒体をセット可能なトレイ送り装置を有していた。該トレイ送り装置は、ユーザが操作ボタンを押すと、ディスクトレイが排出方向へ送られて取り出し位置で停止するように設けられていた。そして、ユーザがディスク媒体をセットし、再度操作ボタンを押すと、前記ディスクトレイが排出方向と逆方向である収納方向へ送られて収納位置で停止するように設けられていた。  
その後、また再度操作ボタンを押すと、前記ディスクトレイが排出方向へ送られて取り出し位置で停止する。従って、ユーザはディスク媒体を取り出すことができた。
【特許文献１】特開２００５−５９５８４号公報
【発明の開示】
【発明が解決しようとする課題】
【０００４】
しかしながら、ディスクトレイは収納位置から真っ直ぐに取り出し位置へ移動する構成であった。従って、取り出し位置において、上方に操作部が設けられていた場合等において、前記ディスクトレイのセット面側の空間が十分な広さではない虞がある。即ち、ユーザの手が入りにくい程空間が小さい虞がある。係る場合、ユーザが前記ディスクトレイのセット面にディスク媒体をセットすることが困難になる虞がある。また、ディスク媒体を取り出すことが困難になる虞がある。即ち、セット性が害される虞がある。
【０００５】
本発明は、このような状況に鑑み成されたものであり、その課題は、セット性を向上させることができるトレイ送り装置および該トレイ送り装置を備えた記録装置を提供することである。
【課題を解決するための手段】
【０００６】
上記課題を達成するため、本発明の第１の態様のトレイ送り装置は、収納状態である第１位置と、取り出し状態である第２位置とを有し、媒体をセット可能な媒体トレイと、該媒体トレイに設けられ、媒体と係合して媒体を保持する係合部と、を備え、前記媒体トレイは、前記第１位置から前記第２位置へ移動する際、媒体のセット面側に対して反対側へ回動変位する構成であることを特徴とする。
【０００７】
本発明の第１の態様によれば、前記媒体トレイは、前記第１位置から前記第２位置へ移動する際、媒体のセット面側に対して反対側へ回動変位する構成である。従って、前記媒体トレイを前記第２位置へ移動させたとき、該媒体トレイの前記セット面側の空間を広げることができる。その結果、ユーザは、前記回動変位しない構成と比較して、容易に媒体を前記媒体トレイにセットおよび前記媒体トレイから取り出すことができる。即ち、ユーザの操作空間を広げることによってセット性を向上させることができる。前記セット面側に操作パネル等の部材が設けられている場合に特に有効である。
【０００８】
また、前記第２位置において、前記媒体トレイが水平方向に対して傾くように構成することが可能である。係る場合、前記係合部によって保持された媒体以外のものである異物を、前記媒体トレイ上から排除することができる。その結果、前記媒体トレイが収納状態になる際、異物が進入する虞がない。即ち、前記媒体トレイが収納方向へ移動し異物が内部に進入したときに異物を検出して、前記媒体トレイを排出方向へ移動して異物を吐き出すのではなく、前記媒体トレイが取り出し状態である前記第２位置において異物を排除することができる。さらに言い換えると、異物の侵入を、未然に防ぐことができる。その結果、異物の浸入によってトレイ送り装置の内部が破損することを未然に防止することができる。
【０００９】
またさらに、前記第２位置において、前記媒体トレイが水平方向に対して傾くことによって、媒体が正常に前記係合部に保持されていない状態では、媒体の位置が下方へ変位する。即ち、正常にセットされていない状態では、媒体はずり下がる。従って、ユーザは、セットが正常ではなかったことを容易に認識してセットし直すことができる。その結果、前記媒体トレイが収納される前に所謂、セット不良を回避することができる。そして、セット不良によってトレイ送り装置の内部が破損することを未然に防止することができる。
【００１０】
本発明の第２の態様は、第１の態様において、前記反対側は、鉛直方向下方であることを特徴とする。  
本発明の第２の態様によれば、第１の態様と同様の作用効果に加え、前記反対側は、鉛直方向下方である。従って、前記第２位置において、前記媒体トレイが水平方向に対して傾くように構成することができる。  
ここで、前記媒体トレイが水平方向から鉛直方向となるまで回動変位することが可能である。係る場合、前記セット面側の空間をより大きく広げることができる。また、確実に前記異物を排除することができる。またさらに、確実にセット不良を回避することができる。
【００１１】
本発明の第３の態様は、第１または第２の態様において、駆動源を正転させることによって前記媒体トレイを前記第１位置から前記第２位置へ移動させ、前記駆動源を逆転させることによって前記媒体トレイを前記第２位置から前記第１位置へ移動させるトレイ移動手段を有し、該トレイ移動手段は、前記媒体トレイを前記第２位置から前記第１位置へ移動させる際、少なくとも一度、前記駆動源を正転に切替えることを特徴とする。
【００１２】
本発明の第３の態様によれば、第１または第２の態様と同様の作用効果に加え、前記トレイ移動手段は、前記媒体トレイを前記第２位置から前記第１位置へ移動させる際、少なくとも一度、前記駆動源を正転に切替える。即ち、収納する際の前記媒体トレイを移動方向が２以上の偶数回反転される。従って、前記媒体トレイを振るように変位させることができる。その結果、前記媒体トレイを収納する際、より確実に前記媒体トレイ上から異物を振り落とすことができる。
【００１３】
本発明の第４の態様は、第１から第３のいずれか一の態様において、前記媒体トレイは、第１位置側である第１トレイ部と、該第１トレイ部より第２位置側であって前記係合部を有する第２トレイ部と、前記第１トレイ部と前記第２トレイ部とを連結するヒンジ部と、を備え、前記第２位置へ移動する際、前記第２トレイ部が前記ヒンジ部を支点に回動変位することを特徴とする。  
本発明の第４の態様によれば、第１から第３のいずれか一の態様と同様の作用効果に加え、前記第２位置へ移動する際、前記第２トレイ部が前記ヒンジ部を支点に回動変位する。従って、容易に前記媒体トレイが回動変位する構成とすることができる。
【００１４】
本発明の第５の態様は、第４の態様において、前記ヒンジ部の位置は、前記媒体トレイの移動方向において、媒体がセットされる範囲に設けられていることを特徴とする。  
本発明の第５の態様によれば、第４の態様と同様の作用効果に加え、前記ヒンジ部の位置は、前記媒体トレイの移動方向において、媒体がセットされる範囲に設けられている。従って、前記第２トレイ部が回動変位した際、セットされている媒体における前記ヒンジ部より前記第１トレイ部側の部分を、該第１トレイ部から離間移動させることができる。その結果、ユーザが媒体をセットする際および取り外す際、媒体を持ちやすくすることができる。即ち、セット性を一層向上させることができる。
【００１５】
本発明の第６の態様の記録装置は、被記録媒体を送る送り部と、送られた被記録媒体に対して記録を実行する記録部と、を備えた記録装置であって、前記送り部は、上記第１から第５のいずれかの態様の前記トレイ送り装置を備えていることを特徴とする。  
本発明の第６の態様によれば、前記送り部は、上記第１から第５のいずれかの態様の前記トレイ送り装置を備えている。従って、前記記録装置において、上記第１から第５のいずれかの態様と同様の作用効果を得ることができる。
【発明を実施するための最良の形態】
【００１６】
以下、本発明の実施の形態を図面に基づいて説明する。  
図１に示すのは、本実施形態に係る画像形成装置としてのプリンタを示す斜視図である。  
図１に示すように、プリンタ１１は、四角箱状の本体１２を有しており、本体１２の中央領域には、キャリッジ１３が、図１における左右方向（主走査方向）に沿って延びるように架設されたガイド軸１４に案内されて、主走査方向に往復移動自在に設けられている。
【００１７】
図１に示すように、本体１２の中央領域にはキャリッジ１３と対向する下側位置に、長尺板状のプラテン１５がその長手方向が主走査方向と平行となる状態で配置されている。プリンタ１１の前面（図１における手前側の面）下部には、給紙用のカセット１６が、前面側が開口するように本体１２に形成された凹状の被装着部１２Ａに挿抜可能な状態で装着（挿入）されている。また、本体１２の右端部前面を覆っているカバー１２Ｂの内側には、複数個のインクカートリッジ１７が装填されている。
【００１８】
各インクカートリッジ１７のインクは、フレキシブル配線板１８に付設された図示しない複数本のインク供給チューブを通じてキャリッジ１３にそれぞれ供給され、キャリッジ１３の下部に設けられた記録ヘッド１９（図２および図３参照）からインク滴が噴射（吐出）される。なお、記録ヘッド１９には、インクを噴射させるための圧力をインクに付与する加圧素子（圧電素子、静電素子、発熱素子等）がノズル毎に内蔵され、加圧素子に所定の電圧が印加されることで対応するノズルからインク滴が噴射（吐出）される構成となっている。
【００１９】
印刷時は、カセット１６から給紙されてプラテン１５上に位置する用紙に対して、キャリッジ１３と共に主走査方向へ移動する過程の記録ヘッド１９からインク滴が噴射されることにより、１ライン分の印刷が施される。こうしてキャリッジ１３の一走査による印字動作と、次行までの用紙搬送動作とが交互に繰り返されることにより、用紙に対する印刷が進められる。また、本体１２の左端前面下部には、電源スイッチを含む各種の操作スイッチ２０が設けられている。
【００２０】
また、プリンタ１１は、媒体の一例であるＣＤ−ＲディスクＱ（図２および図３参照）をセットすることができるディスクトレイ装置３０を有している。そして、媒体の一例であるＣＤ−ＲディスクＱのレーベル面に対して記録することができるように設けられている。  
続いて、ディスクトレイ装置３０について説明する。  
尚、本実施例では、プリンタ１１を一例としてプリンタ１１におけるディスクトレイ装置３０について説明するが、ディスクトレイ装置３０を有する装置はプリンタ１１に限られない。音楽再生装置、映像再生装置等であってもよい。
【００２１】
図２に示すのは、本発明に係るディスクトレイ部が収納位置状態であるディスクトレイ装置を示す概略側面図である。また、図３に示すのは、本発明に係るディスクトレイ部が取り出し位置状態であるディスクトレイ装置を示す概略側面図である。  
図２および図３に示す如く、ディスクトレイ装置３０は、ディスクトレイ部３１と、トレイ移動手段４４とを有する。
【００２２】
このうち、ディスクトレイ部３１は、ＣＤ−ＲディスクＱをセット面３４にセットすることが可能に設けられている。具体的には、ディスクトレイ部３１は、排出方向上流側の第１トレイ部３２と、下流側の第２トレイ部３３とを有する。そして、第１トレイ部３２および第２トレイ部３３はヒンジ部３６によって回動可能に連結されている。  
尚、ヒンジ部３６は主走査方向（幅方向Ｘ）の軸として回動可能に構成されている。  
また、符号Ｙは、排出方向上流側から下流側へ向かう方向である。
【００２３】
また、第２トレイ部３３には、ＣＤ−ＲディスクＱの中央に設けられた穴部Ｑ１と係合可能な爪係合部３５が設けられている。  
またさらに、トレイ移動手段４４は、ディスクトレイ部３１を排出方向上流側および下流側へ移動することができるように設けられている。具体的には、トレイ移動手段４４は、搬送ローラ対３７と、搬送用駆動モータ４０と、排出ローラ４１と、制御部４３とを有する。
【００２４】
このうち、搬送ローラ対３７は、下方の搬送駆動ローラ３８と、上方の搬送従動ローラ３９とを有する。また、搬送駆動ローラ３８は、搬送用駆動モータ４０の動力によって駆動するように設けられている。一方、搬送従動ローラ３９は、回動自在に保持されると共に搬送駆動ローラ側へ付勢されている。  
また、排出ローラ４１は、搬送ローラ対３７より排出方向下流側に設けられている。そして、搬送用駆動モータ４０の動力を利用して駆動するように設けられている。  
またさらに、制御部４３は、搬送用駆動モータ４０の駆動を制御することができるように設けられている。  
尚、搬送駆動ローラ３８と排出ローラ４１との動力源を共通に設けたが、別個独立に設けてもよいのは言うまでもない。
【００２５】
ディスクトレイ部３１は、図２に示す如く、収納位置状態では、第１トレイ部３２および第２トレイ部３３が一直線上になるように支持されている。具体的には、第１トレイ部３２は、搬送ローラ対３７によって挟持されている。一方、第２トレイ部３３は、排出ローラ４１によって下方から支持されている。従って、収納位置状態ではヒンジ部３６は回動しない。
【００２６】
そして、ユーザがプリンタ１１の前面の操作スイッチ２０の中のトレイ取り出しボタンを押す。すると、制御部４３が、搬送用駆動モータ４０を正転駆動させる。従って、ディスクトレイ部３１は、排出方向下流側へ移動する。そして、ヒンジ部３６が排出ローラ４１を通過すると、第２トレイ部３３を下方から支持するものはなくなり、第２トレイ部３３に作用するのは、自重のみとなる。従って、ヒンジ部３６を支点に第２トレイ部３３は、第２トレイ部３３の排出方向下流端である先端が下方へ下がる方向へ回動する。そして、図３に示す取り出し位置状態となる。
【００２７】
取り出し位置状態において、第２トレイ部３３は、ヒンジ部３６を支点に回動して下方へ下がった姿勢となる。従って、第２トレイ部３３の爪係合部３５が設けられたセット面側の空間を広げることができる。具体的には、本体カバー部２１と、第２トレイ部３３との間の空間を広げることができる。この状態で、ユーザは、ＣＤ−ＲディスクＱをセットする。具体的には、ＣＤ−Ｒディスク側の穴部Ｑ１と、第２トレイ部側の爪係合部３５とを係合させる。
【００２８】
このとき、第２トレイ部３３の姿勢が傾いたことによって、セット面側の空間が広がるので、ユーザは、従来技術である姿勢が傾かない構成と比較して、ＣＤ−ＲディスクＱを容易にセットすることができる。  
また、ＣＤ−ＲディスクＱが正常にセットされていない場合、例えば、ＣＤ−Ｒディスク側の穴部Ｑ１と、第２トレイ部側の爪係合部３５とが係合していない場合、ＣＤ−ＲディスクＱは自重によってずり下がる。従って、ユーザは、正常にセットすることができなかったことを認識することができる。そして、正常にセットし直すことができる。その結果、セットミスを防止することができる。
【００２９】
その後、ユーザは、再度、トレイ取り出しボタンを押す。すると、制御部４３が、先ず、搬送用駆動モータ４０を逆転駆動させる。従って、第１トレイ部３２および第２トレイ部３３は排出方向上流側へ移動する。そして、ヒンジ部３６が排出ローラ４１の上を排出方向下流側から上流側に向かって通過したとき、制御部４３は、搬送用駆動モータ４０を正転駆動に切替える。即ち、第２トレイの先端が上方へ上がった後、再度下がり始める。
【００３０】
そして、ヒンジ部３６が排出ローラ４１の上を排出方向上流側から下流側に向かって通過したとき、制御部４３は、搬送用駆動モータ４０を逆転駆動に切替える。即ち、第２トレイの先端が下方へ下がった後、再度上がり始める。制御部４３は、正転・逆転の切替えを２以上の偶数回繰り返すように設けられている。従って、第２トレイ部３３を、複数回揺動させることができる。その結果、何らかの原因によって異物が第２トレイ部３３のセット面上に付着した場合であっても、該異物をふるい落とすことができる。  
このとき、ＣＤ−ＲディスクＱは、爪係合部３５によって係合・保持されているので、ふるい落とされる虞がない。
【００３１】
尚、排出ローラ４１と対向する排出従動ローラを設けて排出ローラ対を構成してもよい。係る場合、第２トレイ３３が揺動する際の第１トレイ３２の姿勢を水平（排出方向）に安定させることができる。  
また、制御部４３は、ヒンジ部３６が排出ローラ４１の上を通過したときに正転・逆転駆動を切替えるように構成したがこのタイミングに限らない。ヒンジ部３６が排出ローラ４１より排出方向下流側に位置するときに正転・逆転駆動を切替えるように構成してもよい。係る場合、第２トレイ部３３の姿勢は揺動しないが、第２トレイ部３３の位置を排出方向上流下流に平行移動させることができる。その結果、同様に異物をふるい落とすことができる。
【００３２】
その後、第１トレイ部３２および第２トレイ部３３はＣＤ−ＲディスクＱのみを乗せ、排出方向上流側へ移動する。そして、ＣＤ−ＲディスクＱのレーベル面の排出方向下流端が、記録ヘッド１９のノズル列（図示せず）の排出方向上流端より上流側となる位置で、制御部４３は搬送用駆動モータ４０の駆動を停止する。  
その後、記録実行の指示により、ＣＤ−ＲディスクＱのレーベル面に対する記録を開始する。具体的には、キャリッジ１３を主走査方向へ走査させながら、記録ヘッド１９からインクを吐出する。
【００３３】
また、一行分の距離だけ搬送用駆動モータ４０を正転駆動させて、ディスクトレイ部３１を排出方向下流側へ送る。そして、キャリッジ１３の走査と、ディスクトレイ部３１の送り移動を繰り返すことによって、レーベル面への記録を実行することができる。  
尚、搬送従動ローラ３９は、ディスクトレイ部３１の幅方向ＸにおいてＣＤ−ＲディスクＱの両側のＣＤ−ＲディスクＱと対向しない位置に設けられているものとする。従って、搬送従動ローラ３９がレーベル面を傷つける虞はない。
【００３４】
記録が完了すると、レーベル面への記録が完了したＣＤ−ＲディスクＱを排出するため、制御部４３は、搬送用駆動モータ４０を正転駆動させる。従って、ディスクトレイ部３１を排出方向下流側へ移動することができる。そして、ヒンジ部３６が排出ローラ４１の上を排出方向上流側から下流側へ通過すると、前述したように第２トレイ部３３の先端が下方へ下がる。そして、図３に示す取り出し位置状態となる。
【００３５】
このとき、前述したように、第２トレイ部３３のセット面側の空間を広げることができるので、ユーザは容易にＣＤ−ＲディスクＱに触れ、ＣＤ−ＲディスクＱを取り出すことができる。具体的には、ユーザは、ＣＤ−Ｒディスク側の穴部Ｑ１と、第２トレイ部側の爪係合部３５との係合を解除して取り出す。  
さらに、このとき、ＣＤ−ＲディスクＱは、ヒンジ部３６を跨っている。従って、ＣＤ−ＲディスクＱの一部は、第１トレイ部３２から離間する。
【００３６】
その結果、ユーザは、ＣＤ−ＲディスクＱの端部を触れることができ、容易に取り出すことができる。  
取り出した後、ユーザは、トレイ取り出しボタンを再度押す。すると、制御部４３は、搬送用モータを逆転駆動させる。従って、ディスクトレイ部３１は、排出方向上流側へ移動し、収納位置状態となる。
【００３７】
このとき、制御部４３は、前述したようにモータを正転・逆転駆動の切替えを行う。  
従って、ディスクトレイ部３１が取り出し位置状態から排出方向上流側へ移動し、収納位置状態になる際、異物がプリンタ１１の本体１２の内部に進入する虞がない。その結果、異物侵入による本体１２の内部の部材が破損する虞がない。即ち、異物が侵入した後に異物と判断して吐き出すのではなく、異物の侵入を、未然に防ぐことができる。
【００３８】
本実施形態のトレイ送り装置であるディスクトレイ装置３０は、収納状態である第１位置と、取り出し状態である第２位置とを有し、媒体の一例であるＣＤ−ＲディスクＱをセット可能な媒体トレイであるディスクトレイ部３１と、ディスクトレイ部３１に設けられ、ＣＤ−ＲディスクＱと係合してＣＤ−ＲディスクＱを保持する係合部である爪係合部３５と、を備え、ディスクトレイ部３１は、第１位置から第２位置へ移動する際、ＣＤ−ＲディスクＱのセット面側に対して反対側へ回動変位する構成であることを特徴とする。
【００３９】
また、本実施形態において、前記反対側は、鉛直方向下方であることを特徴とする。  
またさらに、本実施形態において、駆動源の一例である搬送用駆動モータ４０を正転させることによってディスクトレイ部３１を第１位置から第２位置へ移動させ、搬送用駆動モータ４０を逆転させることによってディスクトレイ部３１を第２位置から第１位置へ移動させるトレイ移動手段４４を有する。そして、トレイ移動手段４４は、ディスクトレイ部３１を第２位置から第１位置へ移動させる際、少なくとも一度、搬送用駆動モータ４０を正転に切替えることを特徴とする。
【００４０】
また、本実施形態において、ディスクトレイ部３１は、第１位置側である第１トレイ部３２と、第１トレイ部３２より第２位置側であって係合部を有する第２トレイ部３３と、第１トレイ部３２と第２トレイ部３３とを連結するヒンジ部３６と、を備え、第２位置へ移動する際、第２トレイ部３３がヒンジ部３６を支点に回動変位することを特徴とする。  
またさらに、本実施形態において、ヒンジ部３６の位置は、ディスクトレイ部３１の移動方向である排出方向ＹにおいてＣＤ−ＲディスクＱがセットされる範囲に設けられていることを特徴とする。
【００４１】
本実施形態の記録装置の一例であるプリンタ１１は、被記録媒体の一例であるＣＤ−ＲディスクＱを送る送り部としてのディスクトレイ装置３０と、送られたＣＤ−ＲディスクＱに対して記録を実行する記録部としての記録ヘッド１９と、を備えていることを特徴とする。
【００４２】
尚、上記実施例において、第２トレイ部が取り出し位置へ移動する際、自重によって下方へ回動変位するように構成したが、回動変位する方向は下方に限られない。セット面と反対方向であればよい。例えば、縦方向の姿勢でＣＤ−Ｒディスクをセットする構成であれば、バネ等の付勢力や溝カム等の構成によって第２トレイ部をセット面と反対方向へ回動変位するように設けることができる。係る場合、上記実施例と同様にセット面側の空間を広げることができ、セット性を向上させることができる。  
また、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４３】
【図１】本発明に係るプリンタの全体を示す斜視図。
【図２】本発明に係るディスクトレイ装置を示す概略側面図（収納位置状態）。
【図３】本発明に係るディスクトレイ装置を示す概略側面図（取り出し位置状態）。
【符号の説明】
【００４４】
１１  プリンタ、１２  本体、１２Ａ  被装着部、１２Ｂ  カバー、１３  キャリッジ、
１４  ガイド軸、１５  プラテン、１６  カセット、１７  インクカートリッジ、
１８  フレキシブル配線板、１９  記録ヘッド、２０  操作スイッチ、
２１  本体カバー部、３０  ディスクトレイ装置、３１  ディスクトレイ部、
３２  第１トレイ部、３３  第２トレイ部、３４  セット面、３５  爪係合部、
３６  ヒンジ部、３７  搬送ローラ対、３８  搬送駆動ローラ、３９  搬送従動ローラ、
４０  搬送用駆動モータ、４１  排出ローラ、４３  制御部、４４  トレイ移動手段、
Ｑ  ＣＤ−Ｒディスク、Ｑ１  穴部、Ｘ  幅方向、Ｙ  排出方向
【図１】
2009234669.tif 000003
【図２】
2009234669.tif 000004
【図３】
2009234669.tif 000005